(57)【特許請求の範囲】
【請求項１】
下端は地中の埋設プラスチック管に接続し上端は地上に立ち上げられるプラスチック管と、
上端は地上の供給ガスメータに接続し下端は前記プラスチック管に内挿する金属製蛇腹管と、
前記地上に立ち上げられたプラスチック管の外面に該プラスチック管の外面を覆い、上端内面にめねじを有し、プラスチック管の上端に設けたおねじと螺合して係止し、下端はプラスチック管の外面を覆って地中に埋設される保護管と、
前記プラスチック管と蛇腹管との間をシールするパッキンにおいて、
前記パッキンは金属製蛇腹管の波山凹凸部に装着し、プラスチック管に螺合する前記保護管の内面とプラスチック管の上端部との間で圧縮されて金属製蛇腹管とプラスチック管の上端部との間で圧縮されて金属製蛇腹管とプラスチック管との間をシールすることを特徴とするガスメータ接続用ライザー管。
【請求項２】
前記パッキンは金属製蛇腹管の波山凹凸部に装着し、プラスチック管の内面との間で圧縮されてシールすることを特徴とする請求項１記載のガスメータ接続用ライザー管。
【請求項３】
前記プラスチック管に内挿する金属製蛇腹管は、その下端をプラスチック管の地中埋設部まで内挿し、該地中埋設位置でプラスチック管との間が前記パッキンによりシールされることを特徴とする請求項１ないし２記載のガスメータ接続用ライザー管。
【発明の詳細な説明】
【０００１】
【発明の属する技術分野】
本発明は、地中埋設プラスチック管から地上のガスメータに接続するためのガスメータ接続用ライザー管に関するものである。
【０００２】
【従来の技術】
従来、地中埋設プラスチック管と地上のガスメータとの接続は、地中の埋設プラスチック管に金属管を接続して、この金属管を地上に立ち上げて地上のガスメータに接続していた。
このための金属管として、本出願人が考案の実開平６ー２０９８７号公報で開示されたプラスチック管と金属製蛇腹管を接続した管継手がある。このものは、継手の端部内面に金属製蛇腹管とプラスチック管を装着し、この装着した両管の内面にわたって金属製ステイフナーを内挿し、この金属製ステイフナーを内周側から拡径して金属製蛇腹管とプラスチック管とを継手内周面に圧縮して接続固定するものである。
【０００３】
【発明が解決しようとする課題】
地中から地上のガスメータに接続する場合、金属管には土壌とコンクリート間に生じるマクロセル腐蝕等、地中に埋設することによる腐蝕の問題がある。
このために金属管の表面に樹脂皮膜を設けたり、絶縁継手を設けたりするなど各種の防食対策を施さなければならず、又この問題のために定期的に保安検査を行う必要があった。
【０００４】
また本出願人の考案による上記の管継手では、プラスチック管と金属製蛇腹管とを一緒に継手内周面にステイフナーを拡径して圧縮固定したものであるが、プラスチック管に比べて金属製蛇腹管は薄肉で波山形状のため圧縮強度が大きく異なり、プラスチック管部と蛇腹管部分とで別々にステイフナーの拡径作業を行なわないと両管とも均一に圧縮固定することができなかった。また両管とも確実に固定接続されたかどうかの確認が一つのステイフナーで両管を固定しているため困難であった。また蛇腹管の波山形状が直管形状になって圧縮されるので、この圧縮部では蛇腹管本来の可撓性能が損なわれて接続固定される問題点があった。本発明は上記の問題点を解消して、腐蝕の問題がなく、蛇腹管本来の可撓性能を保持して金属製蛇腹管とプラスチック管を接続し、地中埋設プラスチック管から地上のガスメータに容易に接続できるガスメータ接続用ライザー管を提供するものである。
【０００５】
【課題を解決するための手段】
本発明の要旨は、下端は地中の埋設プラスチック管に接続し上端は地上に立ち上げられるプラスチック管と、
上端は地上の供給ガスメータに接続し下端は前記プラスチック管に内挿する金属製蛇腹管と、
前記地上に立ち上げられたプラスチック管の外面に該プラスチック管の外面を覆い、上端内面にめねじを有し、プラスチック管の上端に設けたおねじと螺合して係止し、下端はプラスチック管の外面を覆って地中に埋設される保護管と、
前記プラスチック管と蛇腹管との間をシールするパッキンにおいて、
前記パッキンは金属製蛇腹管の波山凹凸部に装着し、プラスチック管に螺合する前記保護管の内面とプラスチック管の上端部との間で圧縮されて金属製蛇腹管とプラスチック管の上端部との間で圧縮されて金属製蛇腹管とプラスチック管との間をシールすることを特徴とするガスメータ接続用ライザー管である。
【０００６】
また前記パッキンは金属製蛇腹管の波山凹凸部に装着し、プラスチック管の内面との間で圧縮されてシールすることを特徴とする請求項１記載のガスメータ接続用ライザー管である。
また前記プラスチック管に内挿する金属製蛇腹管は、その下端をプラスチック管の地中埋設部まで内挿し、該地中埋設位置でプラスチック管との間が前記パッキンによりシールされることを特徴とする請求項１ないし２記載のガスメータ接続用ライザー管である。
また前記保護管は、下端部を前記プラスチック管の外周面とシールして地中に埋設することができる。
更に、前記プラスチック管の外面を覆う保護管は、塩化ビニル製や金属製又はセメント製等の紫外線に強い材質の保護管を用いることができる。
【０００７】
【作用】
本発明は上記の構成であって、プラスチック管の下端部分は地中の埋設プラスチックに接続して、地中から地上に立ち上げられて配管される。従ってガスメータに接続される金属製蛇腹管部分は地中の土壌に接することなく配管されるので、金属管が土壌に接することによる種々の腐蝕の問題が生じない。
また地上に立ち上げ配管されたプラスチック管は保護管で覆われるので、外部環境から保護遮断され、プラスチック管の立ち上げ部分の傷付きや紫外線劣化等の問題もない。
従って、従来の絶縁継手を設けたり地中埋設部金属管を樹脂被覆するなどの防食処理を行なう必要がなく、可撓性を有す金属製蛇腹管とも相挨って容易にガスメータとの配管施行が行なえる。
【０００８】
またプラスチック管に金属製蛇腹管が蛇腹管の波山形状を保って接続され、蛇腹管の可撓性能が損なわれない。また従来のステイフナーを拡径して接続したり、別の袋ナットを設けてレンチで締付けて接続するなどの余分な部品や作業がなく、簡単に接続できる。
またプラスチック管の地上に立ち上げられる部分は金属製蛇腹管が内挿されており、プラスチック管の地上に立ち上がる上端と地中埋設位置の両方で金属製蛇腹管との間をシールすることができる。この場合、もし火災等に遭遇して地上部のパッキンあるいはプラスチック管が消失しても、地中埋設部のシールパッキンには影響を受けないので、地中埋設位置で金属製蛇腹管とプラスチック管とのシールが確保され、ガス漏れを阻止することができる。
更にプラスチック管の外面は保護管で保護されており、保護管を金属管やセメント管等耐火性を有するもので形成することができる。
【０００９】
【発明の実施形態】
以下本発明の実施例について図面に基づいて説明する。
図１は本実施例のガスメータ接続用ライザー管１０を配管した状態を示し、ライザー管１０は、下部のプラスチック管３０と、上部の金属製蛇腹管４０を接続したもので、下部のプラスチック管３０は地中の埋設プラスチック管５とプラスチック製継手６で接続されて地上に立ち上げられる。プラスチック管３０の地上に立ち上がるプラスチック管３０部分は保護管５０で外面が露出しないように覆われている。
金属製蛇腹管４０の上端は建物等に固定されているガスメータユニット７を介してガスメータ８に接続される。ガスメータ８の出口側は金属製フレキシブル管９等によって建物内に配管され、建物内の各供給ガス器具等に供給される。
【００１０】
図２は本発明の一実施例を示すガスメータ接続用ライザー管１０の半断面図である。図において上部側の金属製蛇腹管４０は地中から立ち上がるプラスチック管３０に内挿しており、外面に塩化ビニル製の樹脂皮膜４１を被せてある。
プラスチック管３０は下端が地中埋設プラスチック管と接続される端部となっており、上端外面にはおねじ３１を設けてある。
保護管５０は金属又は塩化ビニル等の外気紫外線に強い耐候性材質で設けてあり、地上に立ち上がるプラスチック管３０の外面を覆ってプラスチック管３０を傷付きや紫外線劣化から保護している。
【００１１】
保護管５０の上部内面にはプラスチック管のおねじ３１に螺合するめねじ５４を設けてあり、プラスチック管と螺合して金属製蛇腹管４０の波山凹凸部に装着したパッキン２０を圧縮し、プラスチック管３０と金属製蛇腹管４０との間をシールしている。また上端内面にはリップパッキン２１を装着してあり、金属製蛇腹管４０の外面に被覆した塩化ビニル皮膜４１との間をシールしている。保護管５０の下部はプラスチック管３０の外面を覆う円筒部で、下端が地中に埋設される長さに設けてある。
蛇腹管４０の長さは全長が約１、２Ｍで、保護管５０部分から上部の長さは約１Ｍあり、上端部は建物等に固定されたガスメータに接続される。またプラスチック管３０の長さは全長約３００ｍｍで、地上に立ち上がる部分の長さは約１００ｍｍに設けてある。従って蛇腹管４０とプラスチック管３０が重なる２重管部分は２００ｍｍあり、蛇腹管４０の下端はプラスチック管の埋設位置にあり、この外面にパッキン２２を装着し蛇腹管４０とプラスチック管３０がシールされている。
【００１２】
このため保護管５０と金属製蛇腹管４０とは接触せず、保護管５０が金属製であっても地中と金属製蛇腹管４０との絶縁が果たされ、マクロセル腐蝕の問題が生じない。
また金属製蛇腹管４０と保護管５０との間をリップパッキン２１でシールし、金属製蛇腹管４０とプラスチック管３０および保護管との間をパッキン２０でシールしているので金属製蛇腹管が雨水等から遮断され、接水による腐蝕の問題も生じない。
又火災等で地上部のパッキン２０が消失しても地中埋設部のパッキン２２に火災の影響が及ばないので、金属製蛇腹管４０とプラスチック管３０のシール性が確保されて、ガスの漏れがなく安全が確保される。
【００１３】
上記実施例において、パッキン２０はプラスチック管３０の上端部に螺合する保護管５０の内面で圧縮するように設けたが、プラスチック管３０の上端位置で、プラスチック管に内挿する蛇腹管の波山凹凸部にパッキン２０を装着して、プラスチック管３０の内面との間で圧縮シールし、また金属製蛇腹管４０の下端も外周面に上記パッキン２２を装着してプラスチック管３０との間でシールするように設けてもよい。
【００１４】
また図３に示すように、保護管５０を外面樹脂被覆鋼管で設け、下端部に樹脂製の袋ナット５２を螺合してパッキン５２、５３を圧縮し、プラスチック管３０の埋設部外面とシールしてプラスチック管３０と共に地中に埋設するように設けてもよい。この実施例によれば、プラスチック管３０の地上立ち上げ部で何等かの影響によりプラスチック管３０内のガスが漏れても、保護管５０の外へは漏れ出さない。また保護管５０の地中埋設部と継手２０及び金属製蛇腹管４０との電気的絶縁は、保護管５０が外面樹脂被覆鋼管であっても端部に樹脂製の袋ナット５１で外部環境とシールされているので絶縁が果たされる。
【００１５】
【発明の効果】
以上のごとく本発明は、金属管が土壌に接することによる種々の腐蝕の問題が解消され、又地上に立ち上げ配管されたプラスチック管は外部環境から保護遮断されるので紫外線劣化等の問題もない。従って絶縁継手を設けたり金属管を樹脂被覆するなどの防食処理を行なう必要がなく、可撓性を有す金属製蛇腹管とも相挨って容易にガスメータとの配管施行が行なえる。
またプラスチック管の地上立ち上げ部分は金属製蛇腹管が内挿されており、地中埋設位置でプラスチック管と蛇腹管がシールされているので、火災等に遭遇しても内部の流体が噴出しない。
またプラスチック管の内面に金属製蛇腹管が蛇腹管の波山形状を保って接続されるので、金属製蛇腹管の可撓性能が損なわれず接続される。
【図面の簡単な説明】
【図１】  本発明の一実施例のガスメータ接続用ライザー管を配管した状態を示す斜視図である。
【図２】  本発明の一実施例を示すガスメータ接続用ライザー管の半断面図である。
【図３】  本発明の別の実施例を示すガスメータ接続用ライザー管の半断面図である。
【符号の説明】
５  埋設プラスチック管              ７  ガスメータ接続ユニット
８  ガスメータ                      ９  金属製フレキシブル管
１０  ガスメータ接続用ライザー管    ２０、２２  パッキン
２１  リップパッキン                ３０  プラスチック管
３１  プラスチック管のおねじ        ４０  金属製蛇腹管
４１  蛇腹管の樹脂皮膜              ５０  保護管
５１  袋ナット                      ５２、５３  パッキン
５４  保護管のめねじ
【図１】
0003687868.tif 000002
【図２】
0003687868.tif 000003
【図３】
0003687868.tif 000004